(57)【特許請求の範囲】
【請求項１】
２本のガイドレール（５１・５２）を、それらのランナー（６１・６２）が触れて走行するランナー走行面を外向きにし、平行に向かい合わせて接合し、複数枚の面状遮蔽体（１０・１１・１２・１３）のそれぞれを、各面状遮蔽体の上縁（７０）の一端を前記２本の中の何れか１本のガイドレール（５１）を走行するランナー（６１）に連結し、その各面状遮蔽体の上縁（７０）の他端を前記２本の中の他の１本のガイドレール（５２）を走行するランナー（６２）に連結して、それら２本のガイドレール（５１・５２）に、それらの複数枚の面状遮蔽体（１０・１１・１２・１３）を移動可能に、且つ、開いた際に隣合う面状遮蔽体がガイドレールの長さ方向に斜めになって重なり合うように吊り下げたことを特徴とする吊下式面状遮蔽体装置。
【請求項２】
前掲請求項１に記載の面状遮蔽体（１０）が、可撓性面状体（７２）の上縁（７０）に支桿（４０）を取り付けて構成され、その支桿（４０）から可撓性面状体（７２）が吊り降ろされていることを特徴とする前掲請求項１に記載の吊下式面状遮蔽体装置。
【請求項３】
前掲請求項１に記載の２本のガイドレール（５１・５２）の間に平板体（６３）が挟み込まれており、その平板体（６３）を介してそれら２本のガイドレール（５１・５２）が接合されている前掲請求項１に記載の吊下式面状遮蔽体装置。
【発明の詳細な説明】
【０００１】
【発明の属する技術分野】
本発明は、フロアーやホール等の建物の大広間を拡縮自在に間仕切るために、或いは、窓や出入口等の建物の開口部を開閉するために、移動可能に吊り下げて使用される吊下式面状遮蔽体に関するものである。
【０００２】
【従来の技術】
この種の面状遮蔽体は、大広間の天井や開口部の上枠に取り付けたガイドレールを走行するランナーに上縁を連結し、開閉移動して使用される。大広間や広い開口部に複数枚の面状遮蔽体を並べて吊り下げる場合、大広間や開口部を広く開放することが出来るようにするため、その面状遮蔽体の枚数に応じた複数本のガイドレールを平行に並べて取り付け、その各ガイドレール毎に１枚の面状遮蔽体を吊るし、それらを移動して大広間や開口部を開放するときはガイドレールの片端に重ね合わせになって片付けられるようになっている。
【０００３】
【発明が解決しようとする課題】
そのように複数枚の面状遮蔽体を並べて大広間や開口部に設置する場合、それらを移動して大広間を仕切り、或いは、開口部を閉じるとき、その閉じ合わされて重なり合う面状遮蔽体の側縁と側縁の間に隙間が出来ないようにするには、平行に並べるガイドレールとガイドレールの間隔が重なり合う面状遮蔽体の側縁と側縁の厚みの合計寸法の半分になるように、ガイドレールの位置合わせを正確に行わなければならない。しかし、面状遮蔽体には、カーテンのようにガイドレールの太さに比して著しく薄手のものもある。そのように薄手の面状遮蔽体を複数枚並べて吊るす場合には、ガイドレールの太さと面状遮蔽体の厚みとの差に応じた隙間が、閉じ合わされて重なり合う面状遮蔽体の側縁と側縁の間に必然的に生じ、その間に隙間なく大広間を間仕切り、或いは、開口部を閉じることは出来ず、又、複数枚の面状遮蔽体を面一に揃えることは出来ない。
【０００４】
【発明の目的】
そこで本発明は、カーテンのようにガイドレールの太さに比して著しく薄手の面状遮蔽体を複数枚並べて吊るす場合でも、隣合う面状遮蔽体と面状遮蔽体の間に隙間が出来ないようにし、又、その複数枚の面状遮蔽体の間が同一面上（面一）に揃うようにすることを目的とする。
【０００５】
【課題を解決するための手段】
本発明に係る吊下式面状遮蔽体装置は、２本のガイドレール５１・５２を、それらのランナー６１・６２が触れて走行するランナー走行面を外向きにし、平行に向かい合わせて接合し、複数枚の面状遮蔽体１０・１１・１２・１３のそれぞれを、各面状遮蔽体の上縁７０の一端を前記２本の中の何れか１本のガイドレール５１を走行するランナー６１に連結し、その各面状遮蔽体の上縁７０の他端を前記２本の中の他の１本のガイドレール５２を走行するランナー６２に連結して、それら２本のガイドレール５１・５２に、それらの複数枚の面状遮蔽体１０・１１・１２・１３を移動可能に、且つ、開いた際に隣合う面状遮蔽体１０と１１，１１と１２，１２と１３………がガイドレールの長さ方向に斜めになって重なり合うように吊り下げたことを第１の特徴とする。
【０００６】
本発明に係る吊下式面状遮蔽体装置の第２の特徴は、上記第１の特徴に加えて、面状遮蔽体１０が、可撓性面状体７２の上縁７０に支桿４０を取り付けて構成され、その支桿４０から可撓性面状体７２が吊り降ろされている点にある。
【０００７】
本発明に係る吊下式面状遮蔽体装置の第３の特徴は、上記第１および第２の何れかの特徴に加えて、２本のガイドレール５１・５２の間に平板体６３が挟み込まれており、その平板体６３を介してそれら２本のガイドレール５１・５２が接合されている点にある。
【０００８】
【発明の実施の形態】
ガイドレール５１・５２には、背面２３の両縁から側面２４・２４に続いていてＣ字形乃至コ字形断面を成し、両側面２４・２４の間がランナー走行溝２５になっており、ランナー走行溝２５を挟んで向き合う溝縁２６・２７にランナーが引っ掛かって走行するチャネル型レールが主として使用される。
【０００９】
図１と図２は、２本のチャネル型レール５１・５２の背面同士（２３・２３）を向かい合わせにし、平板体６３を介して接合されたガイドレールを示し、ランナー走行溝２５を前後方向（面状遮蔽体の表裏方向）に向けて使用することも出来（図１）、又、ランナー走行溝２５を上下方向（垂直方向）に向けて使用することも出来る（図２）。
【００１０】
図３と図４と図５は、２本のチャネル型レール５１・５２の側面同士（２４・２４）を向かい合わせにし、平板体を介して接合されたガイドレールを示し、ランナー走行溝２５を前後方向（面状遮蔽体の表裏方向）に向けて使用することも出来（図３）、又、ランナー走行溝２５を上下方向（垂直方向）に向けて使用することも出来る（図４）。
【００１１】
図３と図４に示す２本のチャネル型レール５１・５２は、ランナー走行溝２５・２５を同じ方向に向けられているが、それらのランナー走行溝２５・２５を、図１と図２に図示するガイドレールのように表裏逆向きにし、且つ、２本のチャネル型レール５１・５２を、図３に図示するガイドレールのように上下に重なる垂直方向に向けて使用すると、幅Ｗが狭くてガイドレールが嵩張らず、複数枚の面状遮蔽体１０・１１・１２・１３の上縁７０が揃って水平に並んで均衡がとれるので好都合である（図５）。この場合、チャネル型レール５１・５２の間に挟み込んだ平板体６３は、上下にＬ字状に折り曲げ、チャネル型レール５１・５２の背面２３・２３にビス止め固定する。
【００１２】
図６は、２本のチャネル型レール５１・５２の背面２３と側面２４を向かい合わせにし、平板体（図示せず）を介して接合されたガイドレールを示す。図７は、ウエブ３１の両縁でフランジ３２が交るＩ形乃至Ｈ形断面、或いは、ウエブ３１の片縁でフランジ３２が交る逆Ｔ形断面を成し、フランジ３２の両縁３３・３３にランナー６１・６２が引っ掛かって走行する２本のランナー露出型レール５１・５２のウエブ３１とウエブ３１の間に平板体（６３）を挟み込んで接合したガイドレールを示す。
【００１３】
面状遮蔽体１０は、平板な硬板体の表裏を表装して扉や襖のように、又は、格子状に組み立てられた枠体の表裏を表装して障子のように、或いは、布帛やフイルム等の可撓性面状体７２の上縁７０を硬質支桿４０に固定して垂れ幕やカーテンのように、或いは又、硬質支桿（７２）から吊り降ろした連結紐に多数のスラット（羽根板）を取り付けてブラインドや簾のように構成することも出来る。垂れ幕、カーテン、ブラインド、簾のように可撓な面状遮蔽体（１０）では、ローマンシエードカーテンやベネシァンブラインドのように昇降コードによってたくし上げて開閉し得るように構成することも出来る。
【００１４】
面状遮蔽体１０の上縁７０の一端は２本のガイドレールの中の一方のガイドレール５１を走行するランナー６１に、その他端は他方のガイドレール５２を走行するランナー６２に連結する。尚、順次並べて吊り下げされた複数枚の面状遮蔽体１０・１１・１２・１３の中の端側の面状遮蔽体（１０・１３）は、２本の中の何れか一方のガイドレール５１（５２）を走行する２個のランナー（６０・６１）に連結してもよい（図３）。
【００１５】
【発明の効果】
本発明によると、複数枚の面状遮蔽体１０・１１・１２・１３は、それらをガイドレールの長さ方向に順次並べ、その全ての上縁７０の先端部を２本の中の１本のガイドレール（５１）を走行するランナー（６１）に連結し、その全ての上縁７０の後端部を２本の中の他の１本のガイドレール（５２）を走行するランナー（５６）に連結して大広間の天井や開口部の上枠に吊るして開閉・移動して使用され、その大広間や開口部を開放するためにガイドレールの片側に引き寄せるときは、恰も１枚の面状遮蔽体が吊り下げられているかのように、複数枚の面状遮蔽体１０・１１・１２・１３が表裏方向に重なり合い、大広間や開口部を広く開放することが出来る。このため、３枚以上の面状遮蔽体を吊り下げるときでも、その枚数に応じた３本以上のガイドレールを必要とせず、面状遮蔽体の枚数に無関係にガイドレールの本数は２本で済み、その取付施工が楽になり、配列したガイドレールや重なり合う面状遮蔽体の数に比例して室内が狭められることもなくなる。そして、面状遮蔽体が、カーテンのようにガイドレールの太さに比して著しく薄手のものであっても、ガイドレールの長さ方向に斜めになって重なり合うので、隣合う面状遮蔽体と面状遮蔽体の間に隙間が出来難く、複数枚の面状遮蔽体の間が同一面上（面一）に揃い、整然とした外観を呈することになる。又、平板体６３を介して２本のガイドレール５１・５２を接合するときは、恰も１本の桿状部材に２筋のランナー走行溝を付けたかのように、２本のガイドレールがコンパクトに一体化され、開口部の上枠や天井に取り付け易く、本発明の実施が簡便になる。
【図面の簡単な説明】
【図１】本発明に係る吊下式面状遮蔽体装置の要部斜視図である。
【図２】本発明に係る吊下式面状遮蔽体装置の要部斜視図である。
【図３】本発明に係る吊下式面状遮蔽体装置の要部斜視図である。
【図４】本発明に係る吊下式面状遮蔽体装置の要部斜視図である。
【図５】本発明に係る吊下式面状遮蔽体装置の要部斜視図である。
【図６】本発明に係る吊下式面状遮蔽体装置の要部斜視図である。
【図７】本発明に係る吊下式面状遮蔽体装置の要部斜視図である。
【符号の説明】
１０・１１・１２・１３  面状遮蔽体
２３  背面
２４  側面
２５  ランナー走行溝
２６・２７  溝縁
３１  ウエブ
３２  フランジ
３３  フランジの縁
４０  支桿
５１・５２  ガイドレール
６０・６１・６２  ランナー
６３  平板体
７０  上縁
７２  可撓性面状体
【図１】
0003671296.tif 000002
【図２】
0003671296.tif 000003
【図３】
0003671296.tif 000004
【図４】
0003671296.tif 000005
【図５】
0003671296.tif 000006
【図６】
0003671296.tif 000007
【図７】
0003671296.tif 000008